(57)【要約】【課題】表示手段の表示状態が変更されるときの視覚上の違和感を軽減する。【解決手段】デジタルカメラは、被写体の輝度が極端に低下した場合に、画素加算を行って画像信号の各信号値を高めることができるが、画素加算により画像信号中の色情報が失われるため表示装置の表示状態がモノクロ表示状態となる。表示装置の表示状態がカラー表示状態からモノクロ表示状態に突然変化すると視覚上の違和感があるため、モノクロ表示状態とすべき第１基準値より高い第２基準値まで被写体の輝度ＢＶが低下した際に、まず、表示状態を低彩度の低彩度カラー表示状態とする（ステップＳ１４）。そして、被写体の輝度ＢＶが第１基準値までさらに低下した際に、表示状態をモノクロ表示状態とする（ステップＳ１５）。これにより、表示状態が段階的に変化されるため、視覚上の違和感を軽減することができる。【選択図】        図４
2004187145.tif 000002
【特許請求の範囲】
【請求項１】
被写体に係る画像信号を出力する撮像手段と、前記画像信号を処理して得られる表示用画像を表示する表示手段とを有するデジタルカメラであって、
前記被写体の状態を検出する検出手段と、
前記被写体の状態の変化に基づいて、表示される表示用画像の特性が相違する第１状態と第２状態との間で、前記表示手段の表示状態を変更可能な制御手段と、
を備え、
前記制御手段は、
前記表示手段の表示状態を前記第１状態から前記第２状態に変更すべく前記被写体の状態が変化したとき、前記表示手段の表示状態を前記第２状態に変更する前に、前記第１状態で表示される表示用画像の特性と前記第２状態で表示される表示用画像の特性との間の特性を有する表示用画像を表示する第３状態に変更することを特徴とするデジタルカメラ。
【請求項２】
請求項１に記載のデジタルカメラにおいて、
前記検出手段により検出される前記被写体の状態は、前記被写体の輝度であり、
前記第１状態は、カラーの表示用画像を表示するカラー表示状態であり、
前記第２状態は、モノクロの表示用画像を表示するモノクロ表示状態であり、前記第３状態は、前記カラー表示状態において表示される表示用画像よりも低彩度の表示用画像を表示する低彩度カラー表示状態であることを特徴とするデジタルカメラ。
【請求項３】
請求項２に記載のデジタルカメラにおいて、
前記制御手段は、
前記表示手段の表示状態が前記低彩度カラー表示状態の場合は、前記被写体の輝度が第１閾値より小となったとき、前記表示手段の表示状態を前記モノクロ表示状態に変更し、
前記表示手段の表示状態が前記モノクロ表示状態の場合は、前記被写体の輝度が第２閾値より大となったとき、前記表示手段の表示状態を前記低彩度カラー表示状態に変更するものであり、
前記第１閾値は、前記第２閾値より小であることを特徴とするデジタルカメラ。
【請求項４】
請求項２に記載のデジタルカメラにおいて、
前記制御手段は、
前記表示手段の表示状態が前記カラー表示状態の場合は、前記被写体の輝度が第３閾値より小となったとき、前記表示手段の表示状態を前記低彩度カラー表示状態に変更し、
前記表示手段の表示状態が前記低彩度カラー表示状態の場合は、前記被写体の輝度が第４閾値より大となったとき、前記表示手段の表示状態を前記カラー表示状態に変更するものであり、
前記第３閾値は、前記第４閾値より小であることを特徴とするデジタルカメラ。
【請求項５】
請求項２に記載のデジタルカメラにおいて、
前記制御手段は、前記表示手段の表示状態を前記低彩度カラー表示状態に変更したとき、前記被写体の輝度にかかわらず、前記表示状態を前記低彩度カラー表示状態に所定時間以上維持することを特徴とするデジタルカメラ。
【発明の詳細な説明】
【０００１】
【発明の属する技術分野】
本発明は、表示用画像を表示する表示手段を有するデジタルカメラに関する。
【０００２】
【従来の技術】
デジタルカメラにおいては、撮影待機状態においてライブビュー表示を行うために、液晶ディスプレイ（ＬＣＤ）や電子ビューファインダ（ＥＶＦ）などの表示装置が採用されている。ライブビュー表示を行う際には、ＣＣＤなどの撮像素子において露光が行われ、撮像素子から出力される画像信号から表示用画像が生成され、この表示用画像を表示装置が表示するという動作が所定時間ごとに繰り返される。ユーザは、このようなライブビュー表示を視認することにより、撮像する構図を所望のものに決定することができる。
【０００３】
また一般に、デジタルカメラにおいては、被写体の輝度が比較的低く、撮像素子から出力される画像信号の十分な信号値（画素値）が得られない場合は、その信号値を増幅するようにしている。しかしながら、信号値を増幅した場合には画像信号中のノイズも増幅されることから、信号値を過度に増幅すると、ノイズによりライブビュー表示の視認性が悪化する可能性がある。
【０００４】
従来、この問題を解消するため、ライブビュー表示中において被写体の輝度がある閾値より低くなったとき、撮像素子中の隣接する複数の画素の電荷を加算する画素加算を行うデジタルカメラが提案されている（例えば、特許文献１参照。）。このデジタルカメラでは、電荷の加算により画像信号の信号値を高めることができるため、信号値を大きく増幅する必要が無くなり、ライブビュー表示におけるノイズが低減されるようになっている。
【０００５】
その他、この出願に関連する先行技術文献情報として特許文献２がある。
【０００６】
【特許文献１】
特開２００１−２８５６８４号公報
【特許文献２】
特開２０００−１５２１６３号公報
【０００７】
【発明が解決しようとする課題】
ところで、撮像素子の各画素は一の色成分のみの値を取得するため、上記のように隣接する複数の画素の電荷を加算する画素加算を行うと、画像信号における色情報は失われてしまう。したがって、画素加算を行った場合は、ライブビュー表示中においてカラーの表示用画像を表示することができず、モノクロの表示用画像が表示されることとなる。
【０００８】
このことから、従来のデジタルカメラのように、被写体の輝度に応じて画素加算を行う動作に切り替えると、表示装置の表示状態がカラー表示状態からモノクロ表示状態に突然変化するため、ユーザに対して視覚上の違和感を与えることとなる。その結果、構図の失敗やシャッターチャンスを逃すなどの問題が生じる可能性があった。
【０００９】
本発明は、上記課題に鑑みてなされたものであり、表示手段の表示状態が変更されるときの視覚上の違和感を軽減することができるデジタルカメラを提供することを目的とする。
【００１０】
【課題を解決するための手段】
上記課題を解決するため、請求項１の発明は、被写体に係る画像信号を出力する撮像手段と、前記画像信号を処理して得られる表示用画像を表示する表示手段とを有するデジタルカメラであって、前記被写体の状態を検出する検出手段と、前記被写体の状態の変化に基づいて、表示される表示用画像の特性が相違する第１状態と第２状態との間で、前記表示手段の表示状態を変更可能な制御手段と、を備え、前記制御手段は、前記表示手段の表示状態を前記第１状態から前記第２状態に変更すべく前記被写体の状態が変化したとき、前記表示手段の表示状態を前記第２状態に変更する前に、前記第１状態で表示される表示用画像の特性と前記第２状態で表示される表示用画像の特性との間の特性を有する表示用画像を表示する第３状態に変更することを特徴とする。
【００１１】
また、請求項２の発明は、請求項１に記載のデジタルカメラにおいて、前記検出手段により検出される前記被写体の状態は、前記被写体の輝度であり、前記第１状態は、カラーの表示用画像を表示するカラー表示状態であり、前記第２状態は、モノクロの表示用画像を表示するモノクロ表示状態であり、前記第３状態は、前記カラー表示状態において表示される表示用画像よりも低彩度の表示用画像を表示する低彩度カラー表示状態であることを特徴とする。
【００１２】
また、請求項３の発明は、請求項２に記載のデジタルカメラにおいて、前記制御手段は、前記表示手段の表示状態が前記低彩度カラー表示状態の場合は、前記被写体の輝度が第１閾値より小となったとき、前記表示手段の表示状態を前記モノクロ表示状態に変更し、前記表示手段の表示状態が前記モノクロ表示状態の場合は、前記被写体の輝度が第２閾値より大となったとき、前記表示手段の表示状態を前記低彩度カラー表示状態に変更するものであり、前記第１閾値は、前記第２閾値より小であることを特徴とする。
【００１３】
また、請求項４の発明は、請求項２に記載のデジタルカメラにおいて、前記制御手段は、前記表示手段の表示状態が前記カラー表示状態の場合は、前記被写体の輝度が第３閾値より小となったとき、前記表示手段の表示状態を前記低彩度カラー表示状態に変更し、前記表示手段の表示状態が前記低彩度カラー表示状態の場合は、前記被写体の輝度が第４閾値より大となったとき、前記表示手段の表示状態を前記カラー表示状態に変更するものであり、前記第３閾値は、前記第４閾値より小であることを特徴とする。
【００１４】
また、請求項５の発明は、請求項２に記載のデジタルカメラにおいて、前記制御手段は、前記表示手段の表示状態を前記低彩度カラー表示状態に変更したとき、前記被写体の輝度にかかわらず、前記表示状態を前記低彩度カラー表示状態に所定時間以上維持することを特徴とする。
【００１５】
【発明の実施の形態】
以下、図面を参照しつつ本発明の実施の形態について説明する。
【００１６】
＜１．第１の実施の形態＞
＜１−１．デジタルカメラの構成＞
図１および図２は、本発明の実施形態に係るデジタルカメラの外観構成を示す図であり、図１は正面図、図２は背面図に相当する。
【００１７】
デジタルカメラ１の正面側には、被写体の光像を結像するためのレンズ群を備えた撮影レンズ２、および、デジタルカメラ１をユーザが保持するためのグリップ部９が設けられる。このグリップ部９の上部には、撮像に係る動作の開始指示をユーザから受け付けるためのシャッタボタン１１が設けられる。
【００１８】
シャッタボタン１１の上方には、電源のオン／オフを切り替えるとともに、「撮影モード」と「再生モード」との間で動作モードを切り替えるダイヤル式のメインスイッチ１４が設けられる。撮影モードは被写体を撮影して記録用画像を生成し記録媒体に記録する動作モードであり、再生モードは記録された画像を再生表示する動作モードである。
【００１９】
グリップ部９の逆側の側面上方には、「画像サイズ」、「露出モード」および「ドライブモード」等の項目を設定するためのファンクションダイヤル１２が設けられている。ファンクションダイヤル１２によって所望の項目にセットした後、グリップ部９上部の選択ダイヤル１３を回転させることにより、セットされた項目の設定内容を順次変更することができる。
【００２０】
デジタルカメラ１の背面側には、ライブビュー表示、記録された画像の再生表示および設定メニューの表示等を行うためのカラーの表示装置である電子ビューファインダ（以下、「ＥＶＦ」という。）２１および液晶ディスプレイ（以下、「ＬＣＤ」という。）２２が設けられている。ＥＶＦ２１とＬＣＤ２２とには同一内容の表示用画像が表示されるが、省電力化を図るため、表示用画像はＥＶＦ２１とＬＣＤ２２との双方同時には表示されず、いずれか一方のみに表示されるようになっている。いずれの表示装置に表示用画像を表示するかは、ＥＶＦ２１の右方に設けられるディスプレイ切り替えレバー１９により指定される。
【００２１】
ＬＣＤ２２の右方にはメニューボタン１８および十字キー１７が設けられる。十字キー１７は上スイッチ１７Ｕ、下スイッチ１７Ｄ、左スイッチ１７Ｌおよび右スイッチ１７Ｒからなる４連スイッチ、ならびに、その中央の決定ボタン１７Ｃから構成される。メニューボタン１８を押下すると表示装置に設定メニューが表示され、設定メニューを参照しつつ十字キー１７を操作することによって、デジタルカメラ１の各種の設定を行うことができる。
【００２２】
また、デジタルカメラ１の内部にはカードスロット２９が設けられ、デジタルカメラ１の側面から記録媒体であるメモリカード９１を挿入して装着できる。撮影モードにおいて生成される記録用画像は、このメモリカード９１に記録される。
【００２３】
＜１−２．デジタルカメラの内部構成＞
デジタルカメラ１の各種の動作制御は、内部に設けられる全体制御部によって実現される。図３は、全体制御部４を含む、デジタルカメラ１の主たる内部構成を機能ブロックを用いて示す図である。
【００２４】
ＣＣＤ３１は、被写体に係る画像信号を出力する撮像素子であり、撮影レンズ２により結像された被写体の光像を光電変換して電荷を蓄積する受光部、蓄積された電荷を転送する垂直転送部および水平転送部、ならびに、電荷を信号（電圧）に変換して出力する出力部等から構成される。
【００２５】
受光部は、露光量に応じた電荷をそれぞれ蓄積する複数の画素から構成される。各画素にはそれぞれ、Ｒ（赤）Ｇ（緑）Ｂ（青）のいずれかのカラーフィルタが貼付されており、各画素はＲＧＢのうちの一の色成分のみに係る電荷を蓄積する。図４は、ＣＣＤ３１の受光部の画素配列の一例を示す図である。図４に示すように受光部の画素配列は、水平（横）２５６０×垂直（縦）１９２０画素の二次元配列となっている。各画素に貼付されたカラーフィルタ（色成分）の配列はベイヤー配列となっており、近傍４画素領域３１ａには、Ｇフィルタの画素が２つ、Ｒフィルタの画素が１つ、Ｂフィルタの画素が１つ含まれている。なお、受光部に貼付されるカラーフィルタとしては、Ｃ（シアン）Ｍ（マゼンダ）Ｙ（イエロー）の組み合わせからなる補色系のカラーフィルタを採用してもよい。
【００２６】
ＣＣＤ３１からの画像信号の出力は、タイミングジェネレータ２４から送信される種々の信号（駆動パルス）に応じて行われる。具体的には、駆動パルスに応じて、受光部の各画素に蓄積された電荷が読み出されて垂直転送部へ転送された後、一の水平方向の画素列（以下、「水平画素列」という。）ごとに水平転送部に転送される。そして、リセットゲートパルスに応じて、電荷が変換された信号（画像信号）が一画素ごとに出力部から出力される。
【００２７】
また、ＣＣＤ３１は、画像信号を出力する様々な出力モードを備えており、種々の出力手法により画像信号を出力することができる。このような出力モードには、全画素（水平２５６０×垂直１９２０画素）の信号を画像信号として出力する「全画素出力モード」と、間引きにより垂直方向の画素数が削減された信号を画像信号として出力する「間引出力モード」とがある。さらに、「間引出力モード」には、一の画素ごとの電荷に相当する信号からなる画像信号を出力する「通常間引モード」と、水平方向に隣接する４画素分の電荷を加算した結果に相当する信号からなる画像信号を出力する「画素加算モード」とがある。
【００２８】
図５および図６は、「間引出力モード」における画像信号の出力手法を説明するための図である。図５は出力モードが「通常間引モード」の場合を示しており、図６は出力モードが「画素加算モード」の場合を示している。図中の符号Ｌ０〜符号Ｌ１６はそれぞれＣＣＤ３１の水平画素列を示しており、水平画素列Ｌ０がＣＣＤ３１の端部の水平画素列である。以下、水平画素列Ｌ０から、第０水平画素列Ｌ０、第１水平画素列Ｌ１、第２水平画素列Ｌ２…と称する。
【００２９】
図５に示すように、出力モードが「通常間引モード」の場合は、水平画素列が１／４の割合に間引かれつつ、各画素の電荷が転送される。転送された電荷は、リセットゲートパルスに応じて一の画素毎に信号に変換される。これにより、垂直方向の画素数が１／４に削減された水平２５６０×垂直４８０画素からなる画像信号がＣＣＤ３１から出力される。ただし、出力される水平画素列の間隔は一定ではなく、画像信号においても画素の色成分の配列がベイヤー配列となるように調整される。具体的には、第０水平画素列Ｌ０、第５水平画素列Ｌ５、第８水平画素列Ｌ８、第１３水平画素列Ｌ１３…と、図５中ハッチングにて示した水平画素列が出力される。
【００３０】
一方、図６に示すように、出力モードが「画素加算モード」の場合においては、「通常間引モード」と同様にして垂直方向の画素数が１／４に削減されるが、リセットゲートパルスの発生周期は「通常間引きモード」に比べて４倍の周期とされる。このため、電荷は水平方向に隣接する４画素ごとに信号に変換される。すなわち、図６中ハッチングにて示した画素の電荷に対して水平方向に隣接する３つの画素の電荷が加算され、この加算された電荷が信号に変換されることとなる。これにより、画像信号における一画素分の信号値（画素値）は、ＣＣＤ３１の水平方向に隣接する４画素分の電荷を加算した値に相当することとなる。また、画像信号における水平方向の画素数も１／４に削減されることから、水平６４０×垂直４８０画素からなる画像信号がＣＣＤ３１から出力される。
【００３１】
このような各出力モードにおける動作を含むＣＣＤ３１の動作は、タイミングジェネレータ２４から送信される信号によって制御される。タイミングジェネレータ２４は、全体制御部４からの信号に基づいてＣＣＤ３１に対して各種の信号を送信することとなる。
【００３２】
図３に戻り、信号処理部３２は、ＣＤＳ（相関二重サンプリング）回路およびＡＧＣ（オートゲインコントロール）回路等をその内部に有し、ＣＣＤ３１から出力される画像信号（アナログ信号）に所定の信号処理を施す。具体的には、ＣＤＳ回路により画像信号のノイズの低減が行われ、ＡＧＣ回路により画像信号の信号値の増幅が行われる。
【００３３】
Ａ／Ｄ変換部３３は、アナログ信号である画像信号を、各画素ごとに例えば１２ビットのデジタル信号に変換する。デジタル信号とされた画像信号は、画像処理部３４および輝度演算部３７に入力される。
【００３４】
画像処理部３４は、画像信号に対して各種の画像処理を行い、ライブビュー表示に用いるための表示用画像、あるいは、メモリカード９１に記録するための記録用画像を生成する。図７は、画像処理部３４の機能構成を機能ブロックを用いて示す図である。
【００３５】
ＷＢ（ホワイトバランス）補正部６１は、ホワイトバランス補正を行うものであり、撮影光源の分光特性に応じて生じる画像信号の色バランスの偏りを、変換テーブルを用いて補正する。補正に用いる変換テーブルは、全体制御部４から画像信号ごとに入力される。
【００３６】
画素補間部６２は、画像信号の各信号値（画素値）の色成分値を補間する。すなわち、画像信号の各信号値はＲＧＢのうち一の色成分値のみを有しているため、全ての色成分値を有するように、周辺画素の色成分値に基づいて残りの色成分値が求められる。これにより、画像信号のカラー化がなされる。
【００３７】
γ補正部６３は、γ補正を行うものであり、画像信号の階調特性を、表示装置のγ特性に適合するように補正テーブルを用いて補正する。補正に用いる補正テーブルは、全体制御部４から画像信号ごとに入力される。
【００３８】
色変換部６４は、変換マトリクスを用いて色空間の変換を行い、ＲＧＢの３つの色成分値からなる画像信号の各信号値（画素値）を、ＹＣｒＣｂ値（輝度成分値Ｙと色差成分値Ｃｒ，Ｃｂ）に変換する。これとともに、色差成分値Ｃｒ，Ｃｂを補正して、画像信号の彩度の調整を行う。本実施の形態では、次の数１に示す変換式によって信号値の色空間の変換が行われる。
【００３９】
【数１】
2004187145.tif 000003
【００４０】
数１に示すように、色差成分値Ｃｒ，Ｃｂに係る変換マトリクス中の変換係数には、色差成分値Ｃｒ，Ｃｂを補正するための係数ｋが含まれている。この係数ｋを変更することは、色差成分値Ｃｒ，Ｃｂの補正量を変更することに相当し、さらに画像信号の彩度を変更することに相当する。すなわち、この係数ｋを大とすれば色差成分値Ｃｒ，Ｃｂが大となるため画像信号の彩度が高くなり、逆に、係数ｋを小とすれば色差成分値Ｃｒ，Ｃｂが小となるため画像信号の彩度が低くなる。係数ｋは、デジタルカメラ１の動作状態に応じて全体制御部４により設定される。
【００４１】
解像度変換部６５は、画像信号に含まれる画素を間引いて、画像信号の解像度を、目的とする解像度に変換する。本実施の形態においてＥＶＦ２１およびＬＣＤ２２の表示解像度は、水平６４０×垂直４８０画素となっている。このため、表示用画像を生成する場合は、水平６４０×垂直４８０画素となるように画像信号の解像度が変換される。また、記録用画像を生成する場合は、ファンクションダイヤル１２等により設定された「画像サイズ」に合わせて、画像信号の解像度が変換される。
【００４２】
図３に戻り、画像処理部３４により生成された表示用画像は表示切替部３５に入力され、一方、記録用画像は画像圧縮部３６に入力される。表示切替部３５は、ディスプレイ切り替えレバー１９により指定された表示装置（ＥＶＦ２１またはＬＣＤ２２）に対して表示用画像を送信して、該表示装置に表示用画像を表示させる。また、画像圧縮部３６は、記録用画像を例えばＪＰＥＧ方式などの圧縮方式にて圧縮した後、メモリカード９１に記録する。
【００４３】
輝度演算部３７は、Ａ／Ｄ変換部３３から入力された画像信号に基づいて、被写体の輝度を導出する。輝度演算部３７により導出された被写体の輝度は、全体制御部４に入力される。なお、以下の説明においては、輝度演算部３７により導出される被写体の輝度を、ＡＰＥＸ表示におけるＢＶ（ブライトネスバリュー）換算値で表現し、被写体の輝度に記号ＢＶを用いる。
【００４４】
レンズ駆動部２３は、全体制御部４から入力される信号に基づいて、撮影レンズ２の内部に含まれる部材、例えば、被写体像の合焦状態を調節するレンズ群や入射光量を調節する絞り等の駆動を行う。
【００４５】
操作部材１０は、上述したシャッタボタン１１、ファンクションダイヤル１２、メニューボタン１８および十字キー１７等を一の機能ブロックとして示したものである。操作部材１０の操作内容は信号として全体制御部４に入力される。また、タイマ２５は、全体制御部４からの信号に基づいて計時を行い、計時結果を全体制御部４に入力する。
【００４６】
全体制御部４は、マイクロコンピュータを備えて構成される。すなわち、全体制御部４は、各種演算処理を行うＣＰＵ４１と、演算を行うための作業領域となるＲＡＭ４２と、制御プログラム等が記憶されるＲＯＭ４３とを備え、上述したデジタルカメラ１の各部の動作を統括的に制御する。
【００４７】
全体制御部４の各種の機能は、予めＲＯＭ４３内に記憶される制御プログラムに従ってＣＰＵ４１が演算処理を行うことにより実現される。なお、ＲＯＭ４３はＥＰＲＯＭなどの追記が可能な不揮発性メモリで構成されており、メモリカード９１からの読出などにより、新たな制御プログラムをＲＯＭ４３に格納（インストール）することも可能とされている。図３において撮像制御部５１、画像処理制御部５２および表示モード設定部５３は、制御プログラムに従ってＣＰＵ４１が演算動作を行うことにより実現される機能の一部を機能ブロックとして模式的に示している。
【００４８】
撮像制御部５１は、撮像に係る制御を行うものであり、露出制御機能、フォーカス制御機能、および、出力モード変更機能を有している。
【００４９】
露出制御機能は、画像信号の明るさが適正になるように露出制御（ＡＥ）を行う機能である。具体的には、輝度演算部３７から入力される被写体の輝度ＢＶに基づいて、シャッタスピードおよび絞り値が設定される。デジタルカメラ１においてはシャッタ方式として電子シャッタ方式が採用され、シャッタスピードはＣＣＤ３１の露光時間（電荷蓄積時間）に相当する。このため、設定されたシャッタスピードは、信号としてタイミングジェネレータ２４に出力され、ＣＣＤ３１は設定された露光時間だけ露光するように制御される。一方、設定された絞り値はレンズ駆動部２３に出力され、設定された絞り値に相当する開口径となるように撮影レンズ２内の絞りが駆動される。また、被写体が低輝度で露光不足となる場合は、露出制御機能により信号処理部３２のＡＧＣ回路による信号値の増幅率が増加される。
【００５０】
フォーカス制御機能は、ＣＣＤ３１の受光面における被写体の光像が合焦状態となるように撮影レンズ２内のレンズ群を移動させるフォーカス制御（ＡＦ）を行う機能である。具体的には、レンズ駆動部２３に信号を送信してレンズ群を駆動させつつ画像信号のコントラストを監視し、画像信号のコントラストが最も高くなる位置にレンズ群を移動させる。
【００５１】
出力モード変更機能は、デジタルカメラ１の動作状態に応じて、ＣＣＤ３１の出力モードを「全画素出力モード」、「通常間引モード」および「画素加算モード」の間で変更する機能である。出力モードを変更する場合は、その旨を示す信号がタイミングジェネレータ２４に送信される。これにより、ＣＣＤ３１は、変更された出力モードの動作を行うように制御される。
【００５２】
画像処理制御部５２は、デジタルカメラ１の動作状態に応じて、画像処理部３４の処理内容を制御する。具体的には、ＷＢ補正部６１で使用する変換テーブルや、γ補正部６３で使用する補正テーブルを画像処理部３４に入力するとともに、色変換部６４における係数ｋや、解像度変換部６５が目的とする解像度を設定する。また、デジタルカメラ１の動作状態によっては、画像処理部３４の各部を選択的に非能動化させる。
【００５３】
表示モード設定部は、ライブビュー表示を行う際の表示装置（ＥＶＦ２１およびＬＣＤ２２）の表示モードを設定する。本実施の形態の表示モードには、カラーの表示用画像を表示させる「通常カラー表示モード」と、「通常カラー表示モード」で表示される表示用画像よりも低彩度の表示用画像を表示する「低彩度カラー表示モード」と、モノクロ（彩度が無く階調のみがある状態：グレースケール）の表示用画像を表示する「モノクロ表示モード」とがある。このような表示モードは、輝度演算部３７から入力される被写体の輝度ＢＶに基づいて設定される。
【００５４】
＜１−３．デジタルカメラの基本動作＞
次に、デジタルカメラ１の撮影モードにおける基本的な動作について説明する。図８は、撮影モードの動作の流れを示す図である。
【００５５】
デジタルカメラ１は、動作モードが撮影モードに設定されると、撮影待機状態となり、被写体の状態を示す表示用画像を時間的に連続して表示装置に表示するライブビュー表示動作が行われる。すなわち、ライブビュー表示のためにＣＣＤ３１にて露光が行われ（ステップＳ１）、ＣＣＤ３１から出力される画像信号に対して画像処理部３４などにより所定の処理がなされて表示用画像（ライブビュー画像）が生成され（ステップＳ２）、生成された表示用画像が表示装置（ＥＶＦ２１またはＬＣＤ２２）に表示される（ステップＳ３）。このようなライブビュー表示動作は、シャッタボタン１１が押下されるまで（ステップＳ４にてＮｏの間）、所定の時間間隔で（例えば、１／３０秒ごとに）繰り返される。
【００５６】
また、このライブビュー表示動作中においては、輝度演算部３７から入力される被写体の輝度ＢＶが常時監視され、被写体の輝度ＢＶに基づいて表示モードを設定する処理（表示モード設定処理：ステップＳ５）が表示モード設定部５３により繰り返し行われる。これにより、被写体の輝度ＢＶに応じて、適宜、表示モードが変更設定され、設定された表示モードに従ったライブビュー表示動作（ステップＳ１〜Ｓ３）がなされることとなる（詳細は後述）。
【００５７】
シャッタボタン１１が押下されると（ステップＳ４にてＹｅｓ）、撮像制御部５１により露出制御（ＡＥ）およびフォーカス制御（ＡＦ）がなされる（ステップＳ６）。これにより、シャッタスピードおよび絞り値が設定されるとともに、被写体の光像が合焦状態とされる。
【００５８】
続いて、記録用の画像信号を取得するために、設定された露光時間ＣＣＤ３１にて露光が行われる（ステップＳ７）。そして、ＣＣＤ３１から出力される画像信号に対して画像処理部３４などにより所定の処理がなされて記録用画像が生成される（ステップＳ８）。生成された記録用画像は、画像圧縮部３６により圧縮され、メモリカード９１に記録される（ステップＳ９）。記録用画像の記録がなされると、再度、ステップＳ１に戻り、ライブビュー表示動作が行われることとなる。
【００５９】
＜１−４．画像信号の処理内容＞
次に、上記のようなライブビュー表示動作中（ステップＳ１〜Ｓ３）および記録動作中（ステップＳ７〜Ｓ９）それぞれの画像信号に対する処理内容について図７を参照しつつ説明する。図７において、符号Ｐ１，Ｐ２，Ｐ３で示す矢印はそれぞれライブビュー表示動作中における画像信号の処理の流れを示し、符号Ｐ１は表示モードが「通常カラー表示モード」の場合、符号Ｐ２は表示モードが「低彩度カラー表示モード」の場合、符号Ｐ３は表示モードが「モノクロ表示モード」の場合をそれぞれ示している。それぞれの表示モードにおいて詳述するように、これらはカラー表示特性（具体的には彩度表現特性）が異なる３つの状態となっている。また、符号Ｐ４で示す矢印は記録動作中における画像信号の処理の流れを示している。以下、それぞれについて説明する。
【００６０】
＜１−４−１．通常カラー表示モード＞
表示モードが「通常カラー表示モード」の場合（符号Ｐ１）は、ＣＣＤ３１の出力モードは撮像制御部５１により「通常間引モード」に設定される。これにより、ＣＣＤ３１からは水平２５６０×垂直４８０画素からなる画像信号が出力される。この画像信号は、画素の色成分の配列がベイヤー配列であり、色の情報を有している。
【００６１】
画像信号が画像処理部３４に入力されると、ＷＢ補正部６１にてホワイトバランス補正され、画素補間部６２により色成分値が補間されて各信号値がＲＧＢ値とされる。さらに、γ補正部６３においてγ補正された後、色変換部６４にて各信号値がＲＧＢ値からＹＣｒＣｂ値に変換される。この色空間の変換時においては、画像処理制御部５２の制御により、数１の変換マトリクスの係数ｋが「１」（ｋ＝１）とされる。
【００６２】
続いて、画像信号は、解像度変換部６５において水平６４０×垂直４８０画素に変換されて表示用画像とされる。そして、生成された表示用画像は、表示切替部３５に入力され、指定された表示装置に表示される。これにより、表示装置の表示状態は、カラーの表示用画像を表示するカラー表示状態となる。
【００６３】
＜１−４−２．低彩度カラー表示モード＞
また、表示モードが「低彩度カラー表示モード」の場合（符号Ｐ２）は、上述した「通常カラー表示モード」の場合とほぼ同様の処理がなされるが、色空間の変換時において用いられる特性値としての数１の変換マトリクスの係数ｋが「０．５」（ｋ＝０．５）とされる。
【００６４】
すなわち、ＣＣＤ３１の出力モードは撮像制御部５１により「通常間引モード」に設定され、ＣＣＤ３１からは水平２５６０×垂直４８０画素からなる画像信号が出力される。画像信号が画像処理部３４に入力されると、ＷＢ補正部６１にてホワイトバランス補正され、画素補間部６２により色成分値が補間されて各信号値がＲＧＢ値とされ、γ補正部６３においてγ補正される。
【００６５】
続いて、画像処理制御部５２の制御により、色変換部６４にて係数ｋ＝０．５となる変換マトリクスが用いられ、各信号値がＲＧＢ値からＹＣｒＣｂ値に変換される。そして、画像信号は、解像度変換部６５において解像度が変換されて表示用画像とされる。この表示用画像は、「通常カラー表示モード」の表示用画像と比較して、色差成分値Ｃｒ，Ｃｂが小となり、彩度は低くなる。
【００６６】
生成された表示用画像は、表示切替部３５に入力され、指定された表示装置に表示される。これにより、表示装置の表示状態は、「通常カラー表示モード」において表示される表示用画像よりも低彩度の表示用画像を表示する低彩度カラー表示状態となる。
【００６７】
＜１−４−３．モノクロ表示モード＞
また、表示モードが「モノクロ表示モード」の場合（符号Ｐ３）は、ＣＣＤ３１の出力モードは撮像制御部５１により「画素加算モード」に設定される。これにより、ＣＣＤ３１からは水平６４０×垂直４８０画素からなる画像信号が出力される。
【００６８】
前述したように、この画像信号の一画素分の信号値（画素値）は、ＣＣＤ３１の水平方向に隣接する４画素分の電荷を加算した値に相当する。しかしながら、隣接する複数の画素の加算により色成分のベイヤー配列は崩れ、結果として画像信号の色の情報は失われることとなる。つまり、画像信号に含まれる各信号値は、色成分に関連のない階調値のみを有することとなる。このため、画像信号の各信号値は輝度成分値Ｙに相当することから、輝度成分値Ｙとしてそのまま利用される。換言すれば、数１の変換マトリクスにおける変換特性値としての係数ｋを「０」（ｋ＝０）とした場合と等価になる。
【００６９】
したがって、この画像信号に対しては色に関する処理は必要なくなることから、画像処理制御部５２の制御により画像処理部３４のＷＢ補正部６１、画素補間部６２および色変換部６４は非能動化される。このため、画像信号が画像処理部３４に入力されると、そのままγ補正部６３に入力されてγ補正のみがなされる。また、画像信号の解像度は、表示装置の表示解像度と一致するため、解像度変換部６５も非能動化される。これにより、画像信号はそのまま表示用画像として表示切替部３５に入力され、指定された表示装置に表示される。表示用画像は輝度成分値Ｙのみを有し、色差成分値Ｃｒ，Ｃｂは０であるため無彩度のモノクロ画像となる。このことから、表示装置の表示状態は、モノクロの表示用画像を表示するモノクロ表示状態となる。
【００７０】
＜１−４−４．記録動作中＞
また、記録動作中の場合（符号Ｐ４）は、ＣＣＤ３１の出力モードは撮像制御部５１により「全画素出力モード」に設定される。これにより、ＣＣＤ３１からは全画素、すなわち、水平２５６０×垂直１９２０画素からなる画像信号が出力される。この画像信号は、画素の色成分の配列がベイヤー配列であり、色の情報を有している。その後は、「通常カラー表示モード」とほぼ同様の処理が行われる。
【００７１】
すなわち、画像信号が画像処理部３４に入力されると、ＷＢ補正部６１にてホワイトバランス補正され、画素補間部６２により色成分値が補間されて各信号値がＲＧＢ値とされ、γ補正部６３においてγ補正される。続いて、画像処理制御部５２の制御により、色変換部６４にて係数ｋ＝１となる変換マトリクスが用いられ、各信号値がＲＧＢ値からＹＣｒＣｂ値に変換される。そして、画像信号は、解像度変換部６５においてファンクションダイヤル１２等により設定された「画像サイズ」に合わせて解像度が変換されて記録用画像とされる。生成されたカラーの記録用画像は、画像圧縮部３６に入力され圧縮された後、メモリカード９１に記録される。
【００７２】
＜１−５．表示モード設定処理＞
次に、上述したような表示モードから一の表示モードを設定する表示モード設定処理（図８：ステップＳ５）について説明する。
【００７３】
一般に、表示装置の表示状態はカラー表示であることが好ましいため、本実施の形態のデジタルカメラ１においては、通常、表示モードを「通常カラー表示モード」に設定するようにしている。
【００７４】
ただし、被写体の輝度ＢＶが極端に低下した場合は、画像信号の信号値が低下するため、ＡＧＣ回路による信号値の増幅率が増加される。このため、画像信号中のノイズも増幅されることとなり、ライブビュー表示において被写体の状態の把握が困難となる。このことから、本実施の形態のデジタルカメラ１は、被写体の輝度ＢＶが極端に低下した場合は、表示モードを「モノクロ表示モード」に設定するようにしている。「モノクロ表示モード」においては、ＣＣＤ３１の出力モードが「画素加算モード」に設定されるため、画像信号の一画素分の信号値（画素値）は、ＣＣＤ３１の水平方向に隣接する４画素分の電荷を加算した値に相当する。このため、ノイズの増加を伴うことなく画像信号の信号値を高めることができ、ノイズの少ない表示用画像を表示装置に表示することができることとなる。
【００７５】
しかしながら、表示モードを「通常カラー表示モード」と「モノクロ表示モード」との間のみで変化させると、表示装置の表示状態が、カラー表示状態からモノクロ表示状態、あるいは、モノクロ表示状態からカラー表示状態に突然変化することとなる。このような表示状態の変化は、ユーザに対して視覚上の違和感を与えることとなる。このため、本実施の形態のデジタルカメラ１においては、表示モードを変更すべく被写体の輝度ＢＶが変化した場合は、一旦、表示モードを「低彩度カラー表示モード」に設定し、被写体の輝度ＢＶがさらに変化したときに、表示モードを目的とする表示モードに設定するようにしている。以下、このような表示モードを設定する処理について具体的に説明する。
【００７６】
図９は、表示モード設定処理の流れを示す図である。まず、ライブビュー表示のためにＣＣＤ３１から出力される画像信号から、輝度演算部３７により被写体の輝度ＢＶが導出される（ステップＳ１１）。
【００７７】
次に、被写体の輝度ＢＶが２つの閾値、すなわち、第１基準値および第２基準値と比較される（ステップＳ１２）。２つの閾値の関係は第１基準値＜第２基準値となっており、本実施の形態においては第１基準値は「−２」、第２基準値は「−１」（いずれもＡＰＥＸ表示におけるＢＶ換算値）に設定されている。なお、これらの基準値の具体値は一例であり、他の値としてもよい。
【００７８】
被写体の輝度ＢＶが第２基準値以上の場合は、被写体の輝度ＢＶが比較的高くノイズが大きく増幅されることはないため、表示モードは「通常カラー表示モード」に設定される（ステップＳ１３）。これにより、表示装置の表示状態は、カラーの表示用画像を表示するカラー表示状態（以下、「通常カラー表示状態」という。）となる。
【００７９】
一方、被写体の輝度ＢＶが第１基準値未満の場合は、被写体の輝度ＢＶが比較的低くノイズが大きく増幅されることとなるため、表示モードは「モノクロ表示モード」に設定される（ステップＳ１５）。これにより、表示装置の表示状態は、ノイズが少ないモノクロの表示用画像を表示するモノクロ表示状態となる。
【００８０】
また、被写体の輝度ＢＶが、第１基準値以上、かつ、第２基準値未満の場合は、表示モードが「低輝度カラー表示モード」に設定される（ステップＳ１４）。これにより、表示装置の表示状態は、低彩度のカラーの表示用画像を表示する低彩度カラー表示状態となる。
【００８１】
図１０は、図９の表示モード設定処理により、被写体の輝度ＢＶの変化に応じて、表示装置の表示状態が変更される様子を示す図である。図１０において横軸は時間であり、符号Ｔ０〜Ｔ８はそれぞれ時点を示している。また、図１０の上部は被写体の輝度ＢＶの変化の一例を示しており、下部は設定される表示モードを示している。
【００８２】
図に示すように、被写体の輝度ＢＶが低下する場合は、被写体の輝度ＢＶが第２基準値（−１）未満となった時点Ｔ２で、表示モードが「通常カラー表示モード」から「低彩度カラー表示モード」に変更される。そして、さらに被写体の輝度ＢＶが第１基準値（−２）未満となった時点Ｔ４で、表示モードが「低彩度カラー表示モード」から「モノクロ表示モード」に変更される。
【００８３】
このように表示モードを「通常カラー表示モード」から「モノクロ表示モード」に変更すべく被写体の輝度ＢＶが低下したときにおいては、表示モードが「モノクロ表示モード」に変更される前に、一旦「低彩度カラー表示モード」に変更される。したがって、表示装置の表示状態が、通常カラー表示状態からモノクロ表示状態に突然変更されることはなく、一旦それらの中間的な低彩度カラー表示状態に変更された後、モノクロ表示状態に変更される。
【００８４】
一方、被写体の輝度ＢＶが上昇する場合は、被写体の輝度ＢＶが第１基準値（−２）以上となった時点Ｔ５で、表示モードが「モノクロ表示モード」から「低彩度カラー表示モード」に変更される。そして、さらに被写体の輝度ＢＶが第２基準値（−１）以上となった時点Ｔ７で、表示モードが「低彩度カラー表示モード」から「通常カラー表示モード」に変更される。
【００８５】
このように表示モードを「モノクロ表示モード」から「通常カラー表示モード」に変更すべく被写体の輝度ＢＶが上昇したときにおいても、表示モードが「通常カラー表示モード」に変更される前に、一旦「低彩度カラー表示モード」に変更される。したがって、表示装置の表示状態が、モノクロ表示状態から通常カラー表示状態に突然変更されることはなく、一旦それらの中間的な低彩度カラー表示状態に変更された後、通常カラー表示状態に変更される。
【００８６】
このように表示装置の表示状態は段階的に変更され、表示状態の変化を自然とすることができる。その結果、表示装置の表示状態の変化による視覚上の違和感を軽減することができることとなる。
【００８７】
以上、第１の実施の形態について説明してきたが、本実施の形態のデジタルカメラにおいては、表示装置の表示状態を、通常カラー表示状態とモノクロ表示状態との間で変更すべく被写体の輝度が変化したとき、表示装置の表示状態を目的とする表示状態とする前に、通常カラー表示状態で表示される表示用画像の彩度とモノクロ表示状態で表示される表示用画像の彩度との間の彩度を有する表示用画像を表示する低彩度カラー表示状態に変更する。このため、表示装置の表示状態を段階的に変化させることができ、視覚上の違和感を軽減することができる。
【００８８】
また、「低彩度カラー表示モード」においては、一般的なデジタルカメラが有している色変換部６４における色差成分値の補正量（係数ｋ）を変更することにより、表示用画像の彩度を調整し、表示装置の表示状態を低彩度カラー表示状態にしている。このため、低彩度の表示用画像を生成するために特別な回路などが不要であるため、デジタルカメラを小型化することができる。これとともに、一般的なデジタルカメラの簡単な仕様変更のみで本実施の形態のデジタルカメラ１を実現することができる。
【００８９】
＜２．第２の実施の形態＞
次に、本発明の第２の実施の形態について説明する。第１の実施の形態においては、被写体の輝度ＢＶを２つの閾値（第２基準値および第１基準値）と比較し、その大小のみによって表示モードを設定していた。このような制御を行った場合、被写体の輝度ＢＶが閾値近傍の値であると、表示モードが頻繁に変更される可能性がある。
【００９０】
図１１は、被写体の輝度ＢＶが「−１」（第２基準値）の近傍の値となる場合に、第１の実施の形態の表示モード設定処理を行ったときの表示装置の表示状態を示す図である。図１１の上部は、図１０と同様に、被写体の輝度ＢＶの変化を示しており、下部は設定される表示モードを示している。また、符号Ｔ２０〜Ｔ３０はそれぞれ時点を示している。
【００９１】
図１１の例においては、被写体の輝度ＢＶが第２基準値（−１）の近傍で頻繁に変化し、第２基準値に対して大あるいは小となることが繰り返されている。このように被写体の輝度ＢＶが変化した場合は、図に示すように表示モードが「通常カラー表示モード」と「低彩度カラー表示モード」との間で頻繁に変更される。同様に、被写体の輝度ＢＶが第１基準値（−２）の近傍で頻繁に変化した場合は、表示モードが「低彩度カラー表示モード」と「モノクロ表示モード」との間で頻繁に変更されることとなる。
【００９２】
このように表示モードが頻繁に変更される（すなわち、表示装置の表示状態が頻繁に変更される）と、表示装置の表示にちらつきが生じ、ユーザに対して視覚上の違和感や不快感を与えることとなる。本実施の形態のデジタルカメラでは、このような表示モードの変更の頻度を減少させて、視覚上の違和感をさらに低減させるようにしている。本実施の形態のデジタルカメラ１の構成および動作は、第１の実施の形態とほぼ同様であり、表示モード設定部５３によりなされる表示モード設定処理（図８：ステップＳ５）のみが相違する。このため以下では、主として表示モード設定処理について説明する。
【００９３】
図１２は、本実施の形態の表示モード設定処理の流れを示す図である。まず、ライブビュー表示のためにＣＣＤ３１から出力される画像信号から、輝度演算部３７により被写体の輝度ＢＶが導出される（ステップＳ２１）。次に、現在の表示モードがいずれの表示モードであるかが判定され（ステップＳ２２）、表示モードに応じて、被写体の輝度ＢＶが所定の閾値と比較される。
【００９４】
本実施の形態では、被写体の輝度ＢＶは４つの閾値、すなわち、第１ないし第４閾値と比較される。４つの閾値の関係は、第１閾値＜第２閾値＜第３閾値＜第４閾値となっており、本実施の形態においては第１閾値は「−２」、第２閾値は「−１．５」、第３閾値は「−１」、第４閾値は「−０．５」（いずれもＡＰＥＸ表示におけるＢＶ換算値）に設定されている。なお、これらの閾値の具体値は一例であり、他の値としてもよい。
【００９５】
表示モードが「通常カラー表示モード」の場合は、被写体の輝度ＢＶが第３閾値未満であるかが判定される（ステップＳ２３）。そして、被写体の輝度ＢＶが第３閾値以上であれば、表示モードは「通常カラー表示モード」に維持され（ステップＳ２７）、被写体の輝度ＢＶが第３閾値未満であれば、表示モードは「低彩度カラー表示モード」に変更される（ステップＳ２８）。
【００９６】
また、表示モードが「低彩度カラー表示モード」の場合は、まず、被写体の輝度ＢＶが第４閾値以上であるかが判定される（ステップＳ２４）。被写体の輝度ＢＶが第４閾値以上であれば、表示モードは「通常カラー表示モード」に変更される（ステップＳ２７）。一方、被写体の輝度ＢＶが第４閾値未満であれば、さらに、被写体の輝度ＢＶが第１閾値未満であるかが判定される（ステップＳ２５）。そして、被写体の輝度ＢＶが第１閾値未満であれば、表示モードは「モノクロ表示モード」に変更され（ステップＳ２９）、被写体の輝度ＢＶが第１閾値以上であれば表示モードは「低彩度カラー表示モード」に維持される（ステップＳ２８）。
【００９７】
また、表示モードが「モノクロ表示モード」である場合は、被写体の輝度ＢＶが第２閾値未満であるかが判定される（ステップＳ２６）。そして、被写体の輝度ＢＶが第２閾値未満であれば、表示モードは「モノクロ表示モード」に維持され（ステップＳ２９）、被写体の輝度ＢＶが第２閾値以上であれば、表示モードは「低彩度カラー表示モード」に変更される（ステップＳ２８）。
【００９８】
図１３は、被写体の輝度ＢＶと、図１２の表示モード設定処理によって設定される表示モードとの関係を示す図である。
【００９９】
表示モードが「通常カラー表示モード」の場合に被写体の輝度が低下したときは、被写体の輝度ＢＶが第３閾値（−１）未満となったとき、表示モードが「低彩度カラー表示モード」に変更され、さらに被写体の輝度ＢＶが第１閾値（−２）未満となったとき、表示モードが「モノクロ表示モード」に変更される。一方、表示モードが「モノクロ表示モード」の場合に被写体の輝度が上昇したときは、被写体の輝度ＢＶが第２閾値（−１．５）以上となったとき、表示モードが「低彩度カラー表示モード」に変更され、さらに被写体の輝度ＢＶが第４閾値（−０．５）以上となったとき、表示モードが「通常カラー表示モード」に変更される。
【０１００】
つまり、被写体の輝度ＢＶの変化に対する表示モードの変化の追随が遅れるように（すなわち、これらの変化の関係が一種のヒステリシスを有するように）、表示モードが設定されることとなる。これにより、被写体の輝度ＢＶが多少変化しても表示モードが変更されにくくなり、表示モード（すなわち、表示装置の表示状態）が変更される頻度を低下させることができるわけである。その結果、表示装置の表示状態の変化による視覚上の違和感をさらに軽減することができることとなる。
【０１０１】
より具体的には、表示モードを「通常カラー表示モード」から「低彩度カラー表示モード」に変更する際に参照される第３閾値（−１）は、表示モードを「低彩度カラー表示モード」から「通常カラー表示モード」に変更する際に参照される第４閾値（−０．５）よりも小である。したがって、被写体の輝度ＢＶが第３閾値（−１）まで低下して、一旦、表示モードが「通常カラー表示モード」から「低彩度カラー表示モード」に変更された場合は、被写体の輝度ＢＶが多少上昇しても第４閾値（−０．５）まで上昇しない限りは、表示モードが「低彩度カラー表示モード」に維持される。これにより、「通常カラー表示モード」と「低彩度カラー表示モード」との間で表示モードが変更される頻度を低下させることができることとなる。
【０１０２】
また同様に、表示モードを「低彩度カラー表示モード」から「モノクロ表示モード」に変更する際に参照される第１閾値（−２）は、表示モードを「モノクロ表示モード」から「低彩度カラー表示モード」に変更する際に参照される第２閾値（−１．５）よりも小である。したがって、被写体の輝度ＢＶが第２閾値（−１．５）まで上昇して、一旦、表示モードが「モノクロ表示モード」から「低彩度カラー表示モード」に変更された場合は、被写体の輝度ＢＶが多少低下しても第２閾値（−１．５）まで低下しない限りは、表示モードが「低彩度カラー表示モード」に維持される。これにより、「低彩度カラー表示モード」と「モノクロ表示モード」との間で表示モードが変更される頻度を低下させることができることとなる。
【０１０３】
図１４は、図１１と同様に被写体の輝度ＢＶが変化した場合に、本実施の形態の表示モード設定処理を行ったときの表示装置の表示状態を示す図である。図に示すように、被写体の輝度ＢＶが第３閾値（−１）まで低下した時点Ｔ２１において、表示モードが「通常カラー表示モード」から「低彩度カラー表示モード」に変更される。その後は、被写体の輝度ＢＶが第４閾値（−０．５）以上、あるいは、第１閾値（−２）未満となるまで、表示モードが「低彩度カラー表示モード」に維持される。このため、時点Ｔ２１〜Ｔ２９のように、被写体の輝度ＢＶが第３閾値（−１）の近傍で頻繁に変化したときにおいても、表示モードは「低彩度カラー表示モード」に維持される。そして、被写体の輝度ＢＶが第１閾値（−２）未満となった時点Ｔ３０で、表示モードが「モノクロ表示モード」に変更される。
【０１０４】
これと同様に、被写体の輝度ＢＶがいずれの閾値の近傍で頻繁に変化した場合であっても、表示モードは維持されることとなる。これにより、表示装置の表示状態が変更される頻度を減少させることができ、視覚上の違和感を軽減することができるわけである。
【０１０５】
以上、第２の実施の形態について説明してきたが、本実施の形態のデジタルカメラ１においては、表示装置の表示状態が低彩度カラー表示状態の場合は、被写体の輝度が第１閾値より小となったとき、表示装置の表示状態がモノクロ表示状態に変更される。また、表示手段の表示状態がモノクロ表示状態の場合は、被写体の輝度が第２閾値より大となったとき、表示装置の表示状態が低彩度カラー表示状態に変更される。第１閾値は、第２閾値より小であることから、表示手段の表示状態が低彩度カラー表示状態とモノクロ表示状態との間で変更される頻度を減少させることができ、視覚上の違和感をさらに軽減することができる。
【０１０６】
また、表示装置の表示状態が通常カラー表示状態の場合は、被写体の輝度が第３閾値より小となったとき、表示装置の表示状態が低彩度カラー表示状態に変更される。また、表示手段の表示状態が低彩度カラー表示状態の場合は、被写体の輝度が第４閾値より大となったとき、表示装置の表示状態が通常カラー表示状態に変更される。第３閾値は、第４閾値より小であることから、表示手段の表示状態が通常カラー表示状態と低彩度カラー表示状態との間で変更される頻度を減少させることができ、視覚上の違和感をさらに軽減することができる。
【０１０７】
＜３．第３の実施の形態＞
次に、本発明の第３の実施の形態について説明する。第２の実施の形態においては、表示モードを変更する際に参照する閾値を、被写体の輝度ＢＶが上昇するときと低下するときとで相違させることで、表示モードが変更される頻度を低下させていた。本実施の形態のデジタルカメラは、表示モードが「低彩度カラー表示モード」に設定された場合は、その状態を所定時間以上維持することで、表示モードが変更される頻度を低下させるようにしている。本実施の形態のデジタルカメラ１の構成および動作は、第１の実施の形態とほぼ同様であり、表示モード設定部５３によりなされる表示モード設定処理（図８：ステップＳ５）のみが相違する。このため以下では、主として表示モード設定処理について説明する。
【０１０８】
図１５は、本実施の形態の表示モード設定処理の流れを示す図である。まず、ライブビュー表示のためにＣＣＤ３１から出力される画像信号から、輝度演算部３７により被写体の輝度ＢＶが導出される（ステップＳ３１）。次に、被写体の輝度ＢＶが、前回の表示モード設定処理から閾値を超えて変化したか否かが判定される（ステップＳ３２）。
【０１０９】
本実施の形態においては、被写体の輝度ＢＶは一の閾値と比較される。この閾値は、本実施の形態においては「−１」（ＡＰＥＸ表示におけるＢＶ換算値）に設定されている。この閾値の具体値はあくまで一例であり、他の値としてもよい。また、本実施の形態においては、表示モード設定処理を行う毎に、導出された被写体の輝度ＢＶがＲＡＭ４２に記憶されるようになっている（ステップＳ４０）。そして、ステップＳ３２では、今回の表示モード設定処理において導出された被写体の輝度（以下、「現在輝度」という。）と、前回の表示モード設定処理において導出された被写体の輝度（以下、「前回輝度」という。）と、閾値とが比較される。
【０１１０】
具体的には、現在輝度が閾値未満、かつ、前回輝度が閾値以上の場合は、被写体の輝度ＢＶが閾値を超えて低下しているため、ステップＳ３２にてＹｅｓと判定される。また、現在輝度が閾値以上、かつ、前回輝度が閾値未満の場合も、被写体の輝度ＢＶが閾値を超えて上昇しているため、ステップＳ３２にてＹｅｓと判定される。その他の場合は、被写体の輝度ＢＶが閾値を超えて変化していないため、ステップＳ３２にてＮｏと判定される。
【０１１１】
ステップＳ３２にてＹｅｓと判定された場合は、タイマ２５が計時を開始するとともに（ステップＳ３３）、表示モードが「低彩度カラー表示モード」に設定される（ステップＳ３４）。
【０１１２】
一方、ステップＳ３２にてＮｏと判定された場合は、現在の表示モードが「低彩度カラー表示モード」であるか否かが判定される（ステップＳ３５）。現在の表示モードが「低彩度カラー表示モード」である場合は、さらに、タイマ２５の計時時間が所定時間（例えば、１秒）を経過したか否かが判定される（ステップＳ３６）。ここで、タイマ２５の計時時間が、所定時間を経過していないとき（ステップＳ３６にてＮｏ）には、表示モードが「低彩度カラー表示モード」のまま維持される（ステップＳ３４）。
【０１１３】
また、現在の表示モードが「低彩度カラー表示モード」でない場合（ステップＳ３５にてＮｏ）、あるいは、タイマ２５の計時時間が所定時間を経過した場合（ステップＳ３６にてＹｅｓ）は、被写体の輝度（現在輝度）ＢＶが閾値（−１）と比較される（ステップＳ３７）。そして、被写体の輝度ＢＶが閾値以上であれば、表示モードが「通常カラー表示モード」に設定され（ステップＳ３８）、被写体の輝度ＢＶが閾値未満であれば、表示モードが「モノクロ表示モード」に設定される（ステップＳ３９）。表示モードが設定されると、次回の表示モード設定処理にて前回輝度として使用できるように、被写体の輝度ＢＶがＲＡＭ４２に記憶される（ステップＳ４０）。
【０１１４】
本実施の形態では、被写体の輝度ＢＶが閾値を超えて変化したときのみ、表示モードが「低彩度カラー表示モード」に変更される。また、タイマ２５の計時時間は、被写体の輝度ＢＶが閾値を超えて変化した時点からの経過時間である。したがって、表示モードが「低彩度カラー表示モード」に変更されたときは、被写体の輝度にかかわらず所定時間は表示モードの状態が「低彩度カラー表示モード」に維持される。そして、タイマ２５の計時時間が所定時間を経過した時点において、改めて被写体の輝度ＢＶが判定され、表示モードが被写体の輝度ＢＶに応じて設定されることとなる。
【０１１５】
また、被写体の輝度ＢＶの閾値を超える変化が時間的に連続して生じた場合は、被写体の輝度ＢＶが閾値を超える度に、タイマ２５の計時時間がリセットされる（ステップＳ３３）。このため、表示モードが「低彩度カラー表示モード」に所定時間以上維持されることもある。
【０１１６】
このように、本実施の形態では、表示モードが「低彩度カラー表示モード」に変更されたときは、被写体の輝度にかかわらず、所定時間以上、表示モードの状態が「低彩度カラー表示モード」に維持されることから、表示モードの変更の頻度を低下させることができ、視覚上の違和感をさらに軽減することができる。
【０１１７】
図１６は、図１１と同様に被写体の輝度ＢＶが変化した場合に、本実施の形態の表示モード設定処理を行ったときの表示装置の表示状態を示す図である。図に示すように、被写体の輝度ＢＶが閾値（−１）を超えて低下した時点Ｔ２１において、タイマ２５の計時が開始されるとともに、表示モードが「通常カラー表示モード」から「低彩度カラー表示モード」に変更される。
【０１１８】
その後、タイマ２５の計時時間が所定時間ＷＴを経過するまで表示モードが「低彩度カラー表示モード」に維持されるが、所定時間ＷＴを経過する前の時点Ｔ２２において、被写体の輝度ＢＶが閾値（−１）を超えて上昇している。このため、この時点Ｔ２２においてタイマ２５の計時時間がリセットされて新たな計時が開始され、表示モードが「低彩度カラー表示モード」のまま維持される。以降同様に時点Ｔ２９まで、タイマ２５の計時時間が所定時間ＷＴを経過する前に、被写体の輝度ＢＶが閾値（−１）を超えて変化しているため、表示モードが「低彩度カラー表示モード」のまま維持される。そして、時点Ｔ２９から所定時間ＷＴが経過した時点Ｔ３１において被写体の輝度ＢＶが判定され、被写体の輝度ＢＶが閾値（−１）以下であるため、表示モードが「モノクロ表示モード」に変更される。このように本実施の形態においても、被写体の輝度ＢＶが閾値（−１）の近傍で頻繁に変化したときは、表示モードが「低彩度カラー表示モード」に維持されるため、視覚上の違和感を軽減することができることとなる。
【０１１９】
以上、第３の実施の形態について説明を行ったが、本実施の形態のデジタルカメラ１では、表示装置の表示状態を低彩度カラー表示状態に変更したとき、被写体の輝度ＢＶにかかわらず、表示状態を低彩度カラー表示状態に所定時間以上維持する。このため、表示装置の表示状態が変更される頻度を減少させることができ、視覚上の違和感をさらに軽減することができる。
【０１２０】
＜４．第４の実施の形態＞
次に、本発明の第４の実施の形態について説明する。上記実施の形態のデジタルカメラは、カラーの記録用画像を記録するものであったが、本実施の形態のデジタルカメラは、記録用画像を記録するための記録モードとして、カラーの記録用画像を記録するカラー記録モードと、モノクロの記録用画像を記録するモノクロ記録モードとを備えている。
【０１２１】
本実施の形態のデジタルカメラ１の構成は、第１の実施の形態と同様である。ユーザは、メニューボタン１８を押下した際に表示される設定メニューを参照しつつ十字キー１７を操作することによって、カラー記録モードとモノクロ記録モードとのうちから一の記録モードを選択することができる。記録モードとしてカラー記録モードが選択された場合は、上記実施の形態と同様の動作がなされる。この動作は、第１ないし第３の実施の形態のいずれでもよい。
【０１２２】
また、記録モードとして、モノクロ記録モードが選択された場合においても、上記実施の形態とほぼ同様の動作がなされる。ただし、色空間を変換する際において係数ｋ＝０となる変換マトリクスが用いられる。
【０１２３】
すなわち、記録動作中においては、画像処理制御部５２の制御により、色変換部６４において係数ｋ＝０となる変換マトリクスが用いられ、画像信号の各信号値がＲＧＢ値からＹＣｒＣｂ値に変換される。そして、画像信号は、解像度変換部６５において解像度が変換されて記録用画像とされる。この記録用画像は、色差成分値Ｃｒ，Ｃｂが０であるため、無彩度のモノクロ画像となる。そして、このモノクロの記録用画像が、画像圧縮部３６に入力され圧縮された後、メモリカード９１に記録される。
【０１２４】
一方、ライブビュー表示動作中においては、上記実施の形態と同様に、表示モード設定処理がなされる。この表示モード設定処理は、第１ないし第３の実施の形態のいずれであってもよい。ただし、表示モードが「通常カラー表示モード」あるいは「低彩度カラー表示モード」に設定されたときにおいては、色変換部６４において係数ｋ＝０となる変換マトリクスが用いられる。このため、画像信号に対する処理内容が「通常カラー表示モード」と「低彩度カラー表示モード」とで同一とされ、双方ともにモノクロの表示用画像が生成されることとなる。もちろん、表示モードが「モノクロ表示モード」に設定されたときは、ＣＣＤ３１の出力モードが「画素加算モード」に設定され、ノイズが少ないモノクロの表示用画像が生成されることとなる。
【０１２５】
したがって、表示装置の表示状態は、表示モードがいずれの表示モードに設定されていた場合であっても、モノクロの表示用画像を表示する状態が維持されることとなる。つまり、記録モードとしてモノクロ記録モードが選択されたときは、被写体の輝度にかかわらず、表示装置の表示状態がモノクロの表示用画像を表示する状態に維持されるわけである。
【０１２６】
このように、本実施の形態のデジタルカメラ１においては、記録モードとしてモノクロ記録モードが選択されたとき、表示装置の表示状態をモノクロの表示用画像を表示する状態に維持するため、視覚上においては表示装置の表示状態が大きく変更されないこととなる。その結果、視覚上の違和感を無くすことができることとなる。
【０１２７】
＜５．変形例＞
以上、本発明の実施の形態について説明してきたが、この発明は上記実施の形態に限定されるものではなく様々な変形が可能である。
【０１２８】
例えば、上記実施形態では、通常カラー表示状態で表示される表示用画像の彩度と、モノクロ表示状態で表示される表示用画像の彩度との間の彩度を有する表示用画像を表示する低彩度カラー表示状態は、一段階のみであったが、複数の段階があってもよい。つまり、互いに異なる彩度の表示用画像を表示する複数の低彩度カラー表示状態モードを、表示モードとして備えておく。そして、被写体の輝度ＢＶが低下する（上昇する）に従って、より彩度の低い（高い）表示用画像を表示する低彩度カラー表示モードに表示モードを漸次変更する。これにより、表示装置の表示状態が漸次的に変化することとなり、さらに効果的に視覚上の違和感を軽減することができる。
【０１２９】
また、上記実施の形態では、被写体の輝度に応じて、表示装置に表示される表示用画像の彩度が変更されるものであったが、例えば、表示用画像の輝度、コントラスト、色合い等が画像表示特性として各状態間で変更されるものであってもよい。これらを分類すれば、表示の「強度」に関する特性（輝度、コントラストなど）と、カラー表示特性（彩度や色合いなど）とが、その主なものであるが、どのような表示特性を制御対象とするかは他のものであってもよい。
【０１３０】
また、上記実施の形態のデジタルカメラ１は静止画像を取得するものであったが、動画像を取得するものであってもよい。
【０１３１】
◎なお、上述した具体的実施の形態には以下の構成を有する発明が含まれている。
【０１３２】
（１）  請求項２に記載のデジタルカメラにおいて、
前記撮像手段は、
二次元配列に配置され露光量に応じた電荷をそれぞれ蓄積する複数の画素、を備え、かつ、
前記画像信号を出力する出力モードとして、一の画素ごとの電荷に相当する信号を出力する通常モードと、前記二次元配列の一の配列方向に隣接する所定数の画素の電荷を加算したものに相当する信号を出力する画素加算モードと、を備えるものであり、
前記制御手段は、前記被写体の輝度が所定の閾値より低下したとき、前記撮像手段の出力モードを前記画素加算モードにすることにより、前記表示手段の表示状態を前記モノクロ表示状態にすることを特徴とするデジタルカメラ。
【０１３３】
これによれば、被写体の輝度が所定の閾値より低下したとき、出力モードを画素加算モードにすると、撮像手段から出力される画像のノイズを低減することができる。このため、被写体の輝度が比較的低い場合であっても、ノイズの少ない表示用画像を表示手段に表示することができる。
【０１３４】
（２）  請求項２に記載のデジタルカメラにおいて、
カラーの記録用画像を記録するカラー記録モードと、モノクロの記録用画像を記録するモノクロ記録モードとのうちから一の記録モードの選択をユーザから受け付ける受付手段、
をさらに備え、
前記制御手段は、前記記録モードとして前記モノクロ記録モードが選択されたとき、前記被写体の輝度にかかわらず、前記表示手段の表示状態をモノクロの表示用画像を表示する状態に維持することを特徴とするデジタルカメラ。
【０１３５】
これによれば、記録モードとしてモノクロ記録モードが選択されたとき、表示手段の表示状態がモノクロの表示用画像を表示する状態に維持されるため、視覚上において表示手段の表示状態が大きく変更されず、視覚上の違和感を無くすことができる。
【０１３６】
（３）  請求項２に記載のデジタルカメラにおいて、
前記画像信号の信号値を、輝度成分値と色差成分値とに変換しつつ前記色差成分値を補正する変換手段、
をさらに備え、
前記制御手段は、前記変換手段の前記色差成分値の補正量を変更することにより前記表示用画像の彩度を調整し、前記表示手段の表示状態を前記低彩度カラー表示状態にすることを特徴とするデジタルカメラ。
【０１３７】
これによれば、変換手段の色差成分値の補正量を変更することにより、表示手段の表示状態を低彩度カラー表示状態にするため、低彩度カラー表示状態で表示される低彩度の表示用画像を生成するために特別な回路などが不要であり、デジタルカメラを小型化することができる。
【０１３８】
【発明の効果】
以上、説明したように、請求項１ないし５の発明によれば、被写体の状態が変化して表示手段の表示状態が第１状態から第２状態に変更される際においては、表示手段の表示状態が、第１状態から中間的な第３状態に変更された後、さらに第２状態に変更される。このため、表示状態が変更されるときの視覚上の違和感を軽減することができる。
【０１３９】
また特に、請求項２の発明によれば、表示手段の表示状態がカラー表示状態からモノクロ表示状態に変更された場合における大きな視覚上の違和感を軽減することができる。
【０１４０】
また特に、請求項３の発明によれば、表示手段の表示状態が低彩度カラー表示状態とモノクロ表示状態との間で変更される頻度を減少させることができ、視覚上の違和感をさらに軽減することができる。
【０１４１】
また特に、請求項４の発明によれば、表示手段の表示状態がカラー表示状態と低彩度カラー表示状態との間で変更される頻度を減少させることができ、視覚上の違和感をさらに軽減することができる。
【０１４２】
また特に、請求項５の発明によれば、表示手段の表示状態が低彩度カラー表示状態に変更されると、その状態に所定時間以上維持されるため、表示手段の表示状態が変更される頻度を減少させることができ、視覚上の違和感をさらに軽減することができる。
【図面の簡単な説明】
【図１】本発明の実施形態に係るデジタルカメラの正面図である。
【図２】本発明の実施形態に係るデジタルカメラの背面図である。
【図３】デジタルカメラの内部構成を示す図である。
【図４】ＣＣＤの受光部の画素配列の一例を示す図である。
【図５】「通常間引モード」における画像信号の出力手法を説明するための図である。
【図６】「画素加算モード」における画像信号の出力手法を説明するための図である。
【図７】画像処理部の機能構成を示す図である。
【図８】撮影モードの動作の流れを示す図である。
【図９】第１の実施の形態の表示モード設定処理の流れを示す図である。
【図１０】被写体の輝度の変化に応じて表示装置の表示状態が変更される様子を示す図である。
【図１１】被写体の輝度の変化に応じて表示装置の表示状態が変更される様子を示す図である。
【図１２】第２の実施の形態の表示モード設定処理の流れを示す図である。
【図１３】被写体の輝度と表示モードとの関係を示す図である。
【図１４】被写体の輝度の変化に応じて表示装置の表示状態が変更される様子を示す図である。
【図１５】第３の実施の形態の表示モード設定処理の流れを示す図である。
【図１６】被写体の輝度の変化に応じて表示装置の表示状態が変更される様子を示す図である。
【符号の説明】
１      デジタルカメラ
４      全体制御部
２５      タイマ
３４      画像処理部
３７      輝度演算部
５１      撮像制御部
５２      画像処理制御部
５３      表示モード設定部
【図１】
2004187145.tif 000004
【図２】
2004187145.tif 000005
【図３】
2004187145.tif 000006
【図４】
2004187145.tif 000007
【図５】
2004187145.tif 000008
【図６】
2004187145.tif 000009
【図７】
2004187145.tif 000010
【図８】
2004187145.tif 000011
【図９】
2004187145.tif 000012
【図１０】
2004187145.tif 000013
【図１１】
2004187145.tif 000014
【図１２】
2004187145.tif 000015
【図１３】
2004187145.tif 000016
【図１４】
2004187145.tif 000017
【図１５】
2004187145.tif 000018
【図１６】
2004187145.tif 000019